Podtech/llm-jp-corpus-v4-ja_patent huggingface dataset:
【手続補正書】
【提出日】平成19年6月15日(2007.6.15)
【手続補正２】
【補正対象書類名】特許請求の範囲
【補正対象項目名】全文
【補正方法】変更
【補正の内容】
【特許請求の範囲】
【請求項１】
被検体内に導入され、該被検体内を移動する被検体内導入装置と、前記被検体外部に配置され、前記被検体内部における前記被検体内導入装置の方位情報を取得する方位検出装置とを備えた被検体内方位検出システムであって、
前記被検体内導入装置は、所定の基準軸を中心とした回転方位に関して強度異方性を有する磁場を形成する磁場形成手段を備え、
前記方位検出装置は、
磁場強度を検出する磁場検出手段と、
前記磁場検出手段によって検出された磁場強度に基づいて、前記被検体内導入装置の前記基準軸に対する回転方位を導出する回転方位導出手段と、
を備えたことを特徴とする被検体内方位検出システム。
【請求項２】
前記磁場形成手段は、
前記基準軸に対して、ほぼ一様な強度の磁場を形成する磁場形成部材と、
前記磁場形成部材から形成される磁場に対して、前記基準軸に関する強度異方性を付与する異方性付与部材と、
を備えたことを特徴とする請求項１に記載の被検体内方位検出システム。
【請求項３】
前記方位検出装置は、
複数の前記磁場検出手段を有すると共に、
複数の前記磁場検出手段によって検出された磁場強度に基づいて、複数の前記磁場検出手段と前記被検体内導入装置との間の距離を導出する距離導出手段をさらに備えたことを特徴とする請求項１または２に記載の被検体内方位検出システム。
【請求項４】
前記方位検出装置は、
前記距離導出手段によって導出された、複数の前記磁場検出手段と前記被検体内導入装置との間の距離に基づいて、被検体内における前記被検体内導入装置の位置を導出する位置導出手段をさらに備えたことを特徴とする請求項３に記載の被検体内方位検出システム。
【請求項５】
前記磁場形成手段は、前記被検体内導入装置に対して磁場形成方向が固定された状態で配置され、
前記方位検出装置は、
前記磁場検出手段が前記磁場形成手段によって形成される静磁場における磁力線の進行方向を検出する機能をさらに有し、
前記磁場検出手段によって検出された磁力線の進行方向に基づいて、前記被検体内における前記被検体内導入装置の指向方向を検出する指向方向検出手段と、
を備えたことを特徴とする請求項１〜４のいずれか一つに記載の被検体内方位検出システム。
【請求項６】
前記方位検出装置は、前記磁場形成手段からの距離、前記磁力線の進行方向および前記被検体内導入装置の指向方向の相互間の関係をあらかじめ記録した指向方向データベースをさらに備え、
前記指向方向検出手段は、前記指向方向データベースを用いて前記被検体内導入装置の指向方向を検出することを特徴とする請求項５に記載の被検体内方位検出システム。
【請求項７】
前記被検体内導入装置は、
被検体内情報を取得する被検体内情報取得手段と、
前記被検体内情報取得手段によって取得された前記被検体内情報を無線送信する無線送信手段とをさらに備え、
前記方位検出装置は、
前記無線送信手段から送信された前記被検体内情報を含む無線信号を受信する受信手段をさらに備えたことを特徴とする請求項１〜６のいずれか一つに記載の被検体内方位検出システム。
【請求項８】
前記受信手段は複数配置され、
前記方位検出装置は、前記位置情報導出手段によって導出された前記被検体内導入装置の少なくとも回転方位、位置および指向方向のいずれかに基づいて、無線信号の受信に使用する前記受信手段を選択する選択手段をさらに備えることを特徴とする請求項７に記載の被検体内方位検出システム。
【請求項９】
前記被検体内情報取得手段は、
前記被検体内を照射する照明手段と、
前記照明手段によって照射された前記被検体内の画像を取得する撮像手段と、
を備えたことを特徴とする請求項７または８に記載の被検体内方位検出システム。
【請求項１０】
前記方位検出装置は、前記撮像手段によって取得された画像と、該画像の取得時における前記被検体内導入装置の、少なくとも回転方位、位置および指向方向のいずれかとを対応づけて記憶する記憶手段をさらに備えることを特徴とする請求項９に記載の被検体内方位検出システム。
【請求項１１】
前記画像を表示する表示手段をさらに備え、
前記表示手段が、少なくとも前記回転方位、前記位置、前記指向方向のいずれかに基づいて、所定の範囲に位置する前記画像のみを表示することを特徴とする請求項１０に記載の被検体内方位検出システム。
【請求項１２】
前記被検体内導入装置に駆動電力を供給する複数の電力送信部をさらに備え、
前記被検体内導入装置の前記位置および前記指向方向に基づいて、前記駆動電力を供給する前記電力送信部を選択することを特徴とする請求項５〜１１のいずれか一つに記載の被検体内方位検出システム。
【手続補正３】
【補正対象書類名】明細書
【補正対象項目名】００９０
【補正方法】変更
【補正の内容】
【００９０】
また、実施の形態１、２において、磁場検出装置６等の個数を８個に限定する必要はなく、最も簡易な構成としては単一の磁場検出装置６等を用いたシステムを構築することが可能である。すなわち、被検体内導入装置たるテストカプセル２またはカプセル型内視鏡２２は、被検体１内を任意に移動するのではなく、食道、胃、小腸および大腸等の所定臓器内のある程度定まった経路に従って移動する構成を有する。従って、あらかじめ被検体内導入装置の移動経路を前もってある程度把握しておくことは可能であり、事前に把握した経路情報と、単一の磁場検出装置によって検出された静磁場の強度とを用いて被検体内導入装置の位置検出を行うこととしても良い。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
歯科用補綴物用の材料で形成されるブロックをCAD/CAMを利用して研削、切削を施すことで得られる歯科用補綴物において、前記ブロックが可視光により光触媒作用を発揮する成分を含む歯科用補綴物。
【請求項２】
前記ブロックを機械的加工を施した後、その表面に光触媒物質を含む被覆材を被覆、焼成してなる請求項１に記載の歯科用補綴物。
【請求項３】
前記ブロックを機械的加工を施して得られる補綴物と前記補綴物を補綴する生体組織との間に光触媒物質被覆層を形成してなる請求項１に記載の歯科用補綴物。
【請求項４】
前記光触媒成分が酸窒化チタンである請求項１，２，３，４に記載の歯科用補綴物。
【請求項５】
前記補綴物表面を被覆する被覆材は、前記の可視光による光触媒作用を発揮する成分を含む補綴物の成分とは異なる成分の光触媒物質を含む請求項２，３に記載の歯科用組成物。
【手続補正２】
【補正対象書類名】明細書
【補正対象項目名】発明の名称
【補正方法】変更
【補正の内容】
【発明の名称】歯科用補綴物
【手続補正書】
【提出日】平成19年7月23日(2007.7.23)
【手続補正１】
【補正対象書類名】特許請求の範囲
【補正対象項目名】請求項１
【補正方法】変更
【補正の内容】
【請求項１】
遊技盤の裏側に位置する後壁板に基板モジュールが取り付けられる遊技機において、
前記後壁板において前記基板モジュールの遊技盤側に近接する近接面、および前記基板モジュールの遊技盤側において前記後壁板に近接する近接面のうち、いずれか一方の近接面には、該近接面より凹んだ嵌合孔および該嵌合孔の一部分を塞ぐ板状の被嵌合部が形成され、いずれか他方の近接面には、該近接面から前記被嵌合部の厚さ以上に突出した突出部および該突出部から前記近接面に沿って延びる嵌合部が形成され、
さらに、前記いずれか一方の近接面には、該近接面よりも凹んでいるガイド孔が、前記嵌合部における前記近接面に沿った面積よりも広い面積にわたって上下方向および左右方向に拡がる大きさで、かつ、前記嵌合孔とつながって一つの孔となる位置に形成されており、
前記基板モジュールは、前記嵌合部が前記ガイド孔に嵌め込まれた状態で該ガイド孔から前記嵌合孔まで変位するようにスライドさせ、前記嵌合部が前記嵌合孔における前記被嵌合部よりも奥側に位置し、かつ、前記突出部が前記嵌合孔において前記被嵌合部により塞がれていない領域に位置した状態とすることによって前記後壁板に取り付けられる
ことを特徴とする基板モジュールの取付構造。
【手続補正２】
【補正対象書類名】明細書
【補正対象項目名】０００８
【補正方法】変更
【補正の内容】
【０００８】
上記課題を解決するため請求項１に記載の基板モジュールの取付構造は、遊技盤の裏側に位置する前記後壁板に基板モジュールが取り付けられる遊技機において、前記後壁板において前記基板モジュールの遊技盤側に近接する近接面、および前記基板モジュールの遊技盤側において前記後壁板に近接する近接面のうち、いずれか一方の近接面には、該近接面より凹んだ嵌合孔および該嵌合孔の一部分を塞ぐ板状の被嵌合部が形成され、いずれか他方の近接面には、該近接面から前記被嵌合部の厚さ以上に突出した突出部および該突出部から前記近接面に沿って延びる嵌合部が形成され、さらに、前記いずれか一方の近接面には、該近接面よりも凹んでいるガイド孔が、前記嵌合部における前記近接面に沿った面積よりも広い面積にわたって上下方向および左右方向に拡がる大きさで、かつ、前記嵌合孔とつながって一つの孔となる位置に形成されている。そして、前記基板モジュールは、前記嵌合部が前記ガイド孔に嵌め込まれた状態で該ガイド孔から前記嵌合孔まで変位するようにスライドさせ、前記嵌合部が前記嵌合孔における前記被嵌合部よりも奥側に位置し、かつ、前記突出部が前記嵌合孔において前記被嵌合部により塞がれていない領域に位置した状態とすることによって前記後壁板に取り付けられる。
【手続補正３】
【補正対象書類名】明細書
【補正対象項目名】００７０
【補正方法】変更
【補正の内容】
【００７０】
また、基板モジュール１０，２０には、図９に示すように、それぞれ基板モジュール１０，２０の下端から近接面１２，２２に沿って下方へ延びる棒状のモジュール側延出部２１０，および，このモジュール側延出部２１０の下端に設けられた収納部２２０のセットが横一列に複数セット（本実施形態においては５セット）設けられている。
【手続補正４】
【補正対象書類名】明細書
【補正対象項目名】００７１
【補正方法】変更
【補正の内容】
【００７１】
これらのうち、収納部２２０は、図１０（ａ）に示すように、その内部にカシメ部材３００が収納されており、このカシメ部材３００を近接面１２，２２側へ突出させるための貫通孔２２２と、後述するようにカシメ部材３００の他端側を押圧して貫通孔２２２からカシメ部材３００の一端側を突出させるための押圧孔２２４とが形成されたものである。なお、この押圧孔２２４は、カシメ部材３００が脱落しない程度の大きさで形成された小さな孔である。
【手続補正５】
【補正対象書類名】明細書
【補正対象項目名】００８３
【補正方法】変更
【補正の内容】
【００８３】
また、基板モジュール１０には、図１２（ａ）に示すように、それぞれ後壁板３０に取り付けられた状態において基板モジュール２０に隣接する端部（図１１（ｂ）の右側）から近接面１２に沿って横方向へ延びる棒状のモジュール側延出部５１０が、縦一列で複数（本実施形態においては５）設けられている。このモジュール側延出部５１０は、その先端側に、後述するようにカシメ部材６００を近接面１２側へ突出させるための貫通孔５１２が形成されたものである。
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
可撓性のチューブと、
前記チューブの先端に設けられ、前記チューブの外径より大きい外径を有する先端部材と、
前記チューブの外周面に設けられた螺旋状構造体と、
を具備したことを特徴とする内視鏡挿入補助装置。
【請求項２】
前記先端部材の外周面に螺旋状構造体が設けられていることを特徴とする請求項１に記載の内視鏡挿入補助装置。
【請求項３】
前記先端部材は、前記チューブの中空部と連通する貫通孔を有し、前記チューブの末端側から貫通孔まで内視鏡の挿入部を挿通可能にしたことを特徴とする請求項１又は２に記載の内視鏡挿入補助装置。
【請求項４】
前記チューブを回転駆動する回転駆動手段を有することを特徴とする請求項１から３のいずれかに記載の内視鏡挿入補助装置。
【請求項５】
前記チューブ及び前記先端部材の少なくとも一方の外周面に設けられた前記螺旋状構造体の前記外周面から突出する高さを可変にする可変手段を有することを特徴とする請求項１から３のいずれかに記載の内視鏡挿入補助装置。
【請求項６】
前記先端部材の外径を可変にしたことを特徴とする請求項１又は２に記載の内視鏡挿入補助装置。
【請求項７】
前記チューブ及び前記先端部材の少なくとも一方の外周面に設けられた前記螺旋状構造体が中空構造であり、この中空構造により手元操作部から供給された流体によって前記可変手段を駆動することを特徴とする請求項３又は４に記載の内視鏡挿入補助装置。
【請求項８】
前記回転駆動手段は、所定値以上のトルクが作用した場合には、前記チューブ側の回転を規制する回転規制手段を有することを特徴とする請求項４に記載の内視鏡挿入補助装置。
【請求項９】
前記チューブ及び先端部材の少なくとも一方を湾曲する湾曲機構を有することを特徴とする請求項１に記載の内視鏡挿入補助装置。
【請求項１０】
前記挿入部の外周面と前記チューブの内周面との間に流体を供給する手段を有することを特徴とする請求項３に記載の内視鏡挿入補助装置。
【請求項１１】
内視鏡の挿入部の先端側の側面に取り付けられ、前記螺旋状構造体が設けられた前記チューブを移動可能に保持する保持体を有することを特徴とする請求項１に記載の内視鏡挿入補助装置。
【請求項１２】
前記螺旋状構造体が設けられた前記チューブは内視鏡のチャンネル内に挿通可能であることを特徴とする請求項１に記載の内視鏡挿入補助装置。
【請求項１３】
前記先端部材が外力によって受動湾曲可能である柔軟な材料からなることを特徴とする請求項１に記載の内視鏡挿入補助装置。
【請求項１４】
前記先端部材の外径が周期的に変化する形状であることを特徴とする請求項１に記載の内視鏡挿入補助装置。
【請求項１５】
前記先端部材の硬度が周期的に変化する形状であることを特徴とする請求項１に記載の内視鏡挿入補助装置。
【請求項１６】
前記先端部材の硬度が先端ほど軟らかく、後端に向けて連続的に変化する構成となっていることを特徴とする請求項１に記載の内視鏡挿入補助装置。
【請求項１７】
前記螺旋構造体の高さを無くし前記チューブを平坦とする手段として、体腔挿入後に螺旋構造体をチューブから取り外す機構を有することを特徴とする請求項５に記載の内視鏡挿入補助装置。
【手続補正書】
【提出日】平成19年6月11日(2007.6.11)
【手続補正１】
【補正対象書類名】明細書
【補正対象項目名】００６０
【補正方法】変更
【補正の内容】
【００６０】
進退部材９６は、膨出部２７に形成された１対のガイド部２７ａ，２７ｂにより揺動爪８２及び押圧部材８８に向けて直線移動自在に案内されている。進退部材９６は、基端に第２レバー部材９５が回転自在かつ所定範囲移動自在に連結された板状部材である。進退部材９６は、揺動爪８２に向かって延びて揺動爪８２の下面に接触可能な第１接触部９６ａと、第１接触部９６ａの根元から押圧部材９１に向けて折り曲げられた第２接触部９６ｂとを先端に有している。進退部材９６は、第２接触部９６ｂが押圧部材９１による押圧が可能となりかつ第１接触部９６ａが揺動爪８２を押圧して逆転許可位置に揺動させる図９に示す解放位置と、第１接触部９６ａが揺動爪８２から離反しかつ押圧部材９１による押圧が不能な図８に示す係止位置とに移動自在である。具体的には、クラッチ切換機構８がクラッチオフ位置からクラッチオン位置側に移動すると、第１及び第２レバー部材９４，９５が揺動して進退部材９６は解放位置に進出し、モータ４の逆転により押圧部材９１により押圧されると、係止位置に後退する。これにより、第２及び第１レバー部材９５，９４を介してクラッチカム５１がクラッチオン方向に回動し、クラッチ操作レバー５０がクラッチオン位置に戻るとともにクラッチ機構７がクラッチオン状態になる。
【手続補正２】
【補正対象書類名】明細書
【補正対象項目名】００９７
【補正方法】変更
【補正の内容】
【００９７】
ここでは、モータ４の逆転でクラッチ復帰動作を行う前に、モータ４を正転させて押圧部材９１を連動機構８９の進退部材９６に退入方向と異なる方向から接触させて位置決めする。このため、押圧部材９１の突起部９１ｂが進退部材９６の第２接触部９６ｂから大きく離反した位置に配置され、モータ４を逆転させたときに慣性力が大きく勢いがついた状態で押圧部材９１が進退部材９６を押圧できるようになる。このため、押圧部材９１により連動機構８６を慣性力が加味された充分な力で押圧することができ、クラッチ復帰動作を確実に行えるようになる。
【手続補正３】
【補正対象書類名】図面
【補正対象項目名】図９
【補正方法】変更
【補正の内容】
【図９】
2006034140.tif 000001
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
生又は前処理した軟体動物を減圧下で水蒸気により加熱する減圧加熱工程と、
減圧加熱工程後の軟体動物を加圧下で加熱する加圧加熱工程と
を備える軟体動物加工品の製造方法。
【請求項２】
減圧加熱工程では、５０℃以上９０℃以下の温度で１２，０００Ｐａ以上７１，０００Ｐａ以下の圧力で加熱する、請求項１に記載の軟体動物加工品の製造方法。
【請求項３】
加圧加熱工程では、１０５℃以上１２５℃以下の温度で、飽和蒸気圧より２９，０００Ｐａ以上７８，０００Ｐａ以下高い圧力で加熱する、請求項１又は２に記載の軟体動物加工品の製造方法。
【請求項４】
加圧加熱工程より後に、軟体動物加工物を冷凍する冷凍工程を備える、請求項１から３のいずれかに記載の軟体動物加工品の製造方法。
【手続補正書】
【提出日】平成19年6月11日(2007.6.11)
【手続補正１】
【補正対象書類名】明細書
【補正対象項目名】００１９
【補正方法】変更
【補正の内容】
【００１９】
〔全体構成〕
本発明の一実施形態による電動リールは、図１に示すように、主にハンドル１が装着されたリール本体２と、リール本体２に回転自在に装着されたスプール３と、スプール３内に装着されたモータ４とを備えている。リール本体２の上部には、水深表示等を行うためのカウンタ５が装着されている。リール本体２の内部には、図２に示すように、ハンドル１の回転をスプール３に伝達するとともにモータ４の回転をスプール３に伝達する回転伝達機構６と、回転伝達機構６の途中に設けられたクラッチ機構７と、クラッチ機構７を切り換えるクラッチ切換機構８（図４）と、ハンドル１の糸繰り出し方向の逆転を禁止する第１ワンウェイクラッチ９と、モータ４の糸繰り出し方向の逆転を禁止する第２ワンウェイクラッチ１０と、モータ４の逆転によりクラッチ機構７をクラッチオン状態に戻す第１クラッチ戻し機構１１と、ハンドル１の糸巻取方向の回転によりクラッチ機構７をクラッチオン状態に戻す第２クラッチ戻し機構１２（図５）とを備えている。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
開閉部材により開放および閉止される役物内入球口と、その役物内入球口から入球した遊技球が入賞可能な特定領域と、上記役物内入球口から上記特定領域に至る遊技球通過経路内に、遊技球の挙動に影響を与えるステージとを有し、上記役物内入球口に遊技球が入球しかつその入球した遊技球が上記特定領域に入賞することで、非特別遊技状態から遊技者に有利な特別遊技状態に移行する遊技機において、
上記ステージは、遊技球案内方向とは交差する方向に、複数に分割されており、各分割部のうち少なくとも１つの分割部は上下方向に揺動しうることを特徴とする遊技機。
【請求項２】
上記ステージは２分割されて、遊技球案内方向の上流側から第１揺動部材と第２揺動部材とを構成し、かつ、各揺動部材は、遊技球案内方向とは交差する方向に設けられた２つの軸を中心に各々独立して揺動する、請求項１に記載の遊技機。
【請求項３】
上記第１揺動部材は略中央に軸が配置される一方、第２揺動部材は遊技球案内方向の下流端近傍に軸が配置され、第１揺動部材における遊技球案内方向の下流端側が下方に位置するように第２揺動部材を揺動させる一方、第２揺動部材における遊技球案内方向の上流端側が上方に位置するように第２揺動部材を揺動させることにより遊技球停留状態を出現させる、請求項２に記載の遊技機。
【請求項４】
駆動源と、この駆動源により駆動される回動体とを有すると共に、上記第１揺動部材と第２揺動部材とには、各々案内溝が形成されており、これら案内溝に上記回動体に設けられた突起が緩やかに嵌まり込んでいる、請求項２又は３に記載の遊技機。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
開閉部材により開放および閉止される役物内入球口と、その役物内入球口から入球した遊技球が入賞可能な特定領域とを有し、上記役物内入球口に遊技球が入球しかつその入球した遊技球が上記特定領域に入賞することで、非特別遊技状態から遊技者に有利な特別遊技状態に移行する遊技機において、
上記役物内入球口から上記特定領域に至る遊技球通過経路内に設けられ、遊技球が特定領域に入賞するのを妨害及び案内することが可能な妨害及び案内手段を備えるとともに、鉛直軸回りに回動可能に構成された可動体と、
可動体が回動するとともに、その回動動作中に、複数の所定停止位置で一時的に停止するように、可動体を駆動する可動体駆動装置と、
を有することを特徴とする遊技機。
【請求項２】
上記複数の所定停止位置は、可動体の回動範囲内のうちの、最左端位置と、中央位置と、最右端位置との３つの位置であることを特徴とする請求項１記載の遊技機。
【請求項３】
上記可動体駆動装置は、
一方向への回転駆動力を付与する駆動源と、
駆動源により所定半径の回転運動を付与される第１駆動部材と、
第１駆動部材の先端部が嵌まり込む、左右方向に延びる直線状の第１カム溝又は第１カム孔を有し、第１駆動部材の回転運動を上下方向の往復直線運動に変換して駆動力を伝達する第１カム手段と、
第２カム溝又は第２カム孔を有し、第１カム手段により上下方向に往復直線変位する第２カム手段であって、第２カム溝又は第２カム孔は、上下方向に延びる３つの直線部と、各直線部間をつなぐ傾斜部とを有し、３つの直線部は、上下方向及び左右方向にそれぞれずれ、かつ、真中に位置する直線部が両側の直線部の略中央に位置する配置構成とされている、そのような第２カム手段と、
第２カム手段の第２カム溝又は第２カム孔に後端部が嵌まり込む第２駆動部材と、
第２駆動部材の先端部と連結し、第２駆動部材の変位を可動体に伝達する可動体伝達手段と、
を備えたことを特徴とする請求項２記載の遊技機。
【請求項４】
上記駆動源の出力軸に同軸に装着される第１ギアと、
第１ギアに噛み合う第２ギアと、
第２ギアの回転軸に同軸に装着される円盤と、
を有し、
上記円盤の表面には上記第１駆動部材の後端部が固定されていることを特徴とする請求項３記載の遊技機。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
内視鏡挿入部の湾曲部からそれぞれ延出し、前記湾曲部を少なくとも２つの方向に湾曲操作する一対の操作ワイヤと、
この一対の操作ワイヤが巻き付けられたプーリを有するプーリユニットと、
前記一対の操作ワイヤの基端部にそれぞれ設けられた口金部と、
前記プーリユニットに回動自在に保持された係止部と、を備え、
この係止部は、前記各口金部をそれぞれ係脱自在に保持することにより、前記一対の操作ワイヤをそれぞれ牽引弛緩して前記湾曲部を湾曲操作することを特徴とする内視鏡装置。
【請求項２】
前記操作ワイヤの一部に接触し、前記口金部の係脱を促すガイド部材を前記プーリユニット近傍に設けたことを特徴とする請求項１に記載の内視鏡装置。
【請求項３】
前記ガイド部材は、
前記プーリユニットからの前記操作ワイヤの外側に配され、前記操作ワイヤの一部と接触する壁面を有する第１、第２のガイド部材と、
前記１対の操作ワイヤ間に介在するように前記第１、第２のガイド部材間に設けられ、両側に前記操作ワイヤの一部と接触する壁面を有する第３のガイド部材と、
を有していることを特徴とする請求項２に記載の内視鏡装置。
【請求項４】
前記ガイド部材は、
前記プーリユニットからの前記操作ワイヤの外側で且つ前記プーリユニットに対し所定の隙間を設けて配されたもので、前記操作ワイヤの一部と接触する壁面と、前記プーリユニットの外周面とに隙間を設けて配された円弧部と、前記円弧部の端部に配され、前記壁面よりも突出してなる凸部とを有し、前記壁面と前記凸部により前記操作ワイヤを２点支持する第１、第２のガイド部材と、
前記１対の操作ワイヤ間に介在するように前記第１、第２のガイド部材間に設けられ、両側に前記操作ワイヤの一部と接触する壁面を有する第３のガイド部材と、
を有していることを特徴とする請求項２に記載の内視鏡装置。
【請求項５】
前記ガイド部材は、
前記プーリユニットからの前記操作ワイヤの外側で且つ前記プーリユニットに対し所定の隙間を設けて配されたもので、前記操作ワイヤの一部と接触するとともに、鈍角を形成する第１、第２の壁面を有し、少なくとも前記第１の壁面によって前記操作ワイヤを前記プーリユニットの接線方向に導く第１、第２のガイド部材と、
前記１対の操作ワイヤ間に介在するように前記第１、第２のガイド部材間に設けられ、両側に前記操作ワイヤの一部と接触する壁面を有する第３のガイド部材と、
を有していることを特徴とする請求項２に記載の内視鏡装置。
【手続補正２】
【補正対象書類名】明細書
【補正対象項目名】０００９
【補正方法】変更
【補正の内容】
【０００９】
本発明の内視鏡装置は、内視鏡挿入部の湾曲部からそれぞれ延出し、前記湾曲部を少なくとも２つの方向に湾曲操作する一対の操作ワイヤと、この一対の操作ワイヤが巻き付けられたプーリを有するプーリユニットと、前記一対の操作ワイヤの基端部にそれぞれ設けられた口金部と、前記プーリユニットに回動自在に保持された係止部と、を備え、この係止部は、前記各口金部をそれぞれ係脱自在に保持することにより、前記一対の操作ワイヤをそれぞれ牽引弛緩して前記湾曲部を湾曲操作することを特徴とするものである。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線管装置と、
前記被検体を透過したＸ線を受像するＸ線受像装置と、
前記Ｘ線管装置を回転自在に支持する支持機構と、
前記Ｘ線管装置に設けられて撮影条件の設定を行う操作部と、
前記操作部に設けられて前記撮影条件を表示する表示器とを有するＸ線撮影装置において、
前記Ｘ線管装置の回転角度を検出する角度検出センサと、
前記角度検出センサの検出結果に基づいて、前記表示器の表示内容を横表示操作画面または縦表示操作画面に切り替える切替制御手段とを有することを特徴とするＸ線撮影装置。
【請求項２】
前記切替制御手段は、前記表示器の表示内容を上下反転表示画面に切替可能であることを特徴とする請求項１に記載のＸ線撮影装置。
【請求項３】
前記横表示操作画面と前記縦表示操作画面の表示情報が実質的に同様のレイアウトであることを特徴とする請求項1または２に記載のＸ線撮影装置。
【請求項４】
前記表示器の縦横のドット数を同一としたことを特徴とする請求項３に記載のＸ線撮影装置。
【請求項５】
被検体にＸ線を照射するＸ線管装置と、
前記被検体を透過したＸ線を受像するＸ線受像装置と、
前記Ｘ線管装置を回転自在に支持する支持機構と、
前記Ｘ線管装置に設けられて撮影条件の設定を行う操作部と、
前記操作部に設けられて前記撮影条件を表示する表示器とを有するＸ線撮影装置において、
前記Ｘ線管装置の回転角度を検出する角度検出センサと、
前記Ｘ線管装置に対して操作部を回転自在に支持する回転連結機構と、
前記角度検出センサの検出結果に基づいて、前記Ｘ線管装置の回転角度に関わらず操作部を基準方向に保持するように回転連結機構を制御する回転制御部とを有することを特徴とするＸ線撮影装置。
【請求項６】
被検体にＸ線を照射するＸ線管装置と、
前記被検体を透過したＸ線を受像するＸ線受像装置と、
前記Ｘ線管装置を回転自在に支持する支持機構と、
前記Ｘ線管装置に設けられて撮影条件の設定を行う操作部と、
前記操作部に設けられて前記撮影条件を表示する表示器とを有するＸ線撮影装置において、
前記Ｘ線管装置の回転角度を検出する角度検出センサと、
前記角度検出センサの検出結果に基づいて、前記Ｘ線管装置の回転角度に関わらず前記表示器の表示内容を基準方向に保持するように制御する表示回転制御部とを有することを特徴とするＸ線撮影装置。
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
遊技機本体の前面に各種の部材が配設された遊技機において、
前記本体の前面にて前方へ張り出し且つ前記本体との間に空間部を有する張出し部を備えたことを特徴とする遊技機。
【請求項２】
前記張出し部は、前記本体前面に配設された所定の部材を跨ぐアーチ状に形成されたことを特徴とする請求項１に記載の遊技機。
【請求項３】
前記張出し部に、画面表示可能な表示部を配設したことを特徴とする請求項１又は２に記載の遊技機。
【請求項４】
前記表示部は、前記張出し部の前面部から奥まった位置に配設されたことを特徴とする請求項３に記載の遊技機。
【請求項５】
前記表示部を挟んで左右に壁状の遮蔽部を配設したことを特徴とする請求項３又は４に記載の遊技機。
【請求項６】
前記表示部は、所定の傾斜角となるように回動可能に配設されたことを特徴とする請求項３乃至５のいずれかに記載の遊技機。
【請求項７】
前記表示部は、曲面状に配設されたことを特徴とする請求項３乃至６のいずれかに記載の遊技機。
【請求項８】
前記表示部は、タッチパネル式ディスプレイからなることを特徴とする請求項３乃至７のいずれかに記載の遊技機。
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に収納され、ガス交換機能を有する中空糸膜が多数集積された中空糸膜層と、
前記中空糸膜の内腔を介して互いに連通するガス流入部およびガス流出部と、
血液が流通する血液流入部および血液流出部とを備えた人工肺であって、
前記中空糸膜層は、全体形状として円筒状をなしており、
前記中空糸膜層の外周部に、気泡を捕捉する機能を有するフィルタ部材を設けたことを特徴とする人工肺。
【請求項２】
前記フィルタ部材は、前記中空糸膜層の外周部に接して設けられ、該外周部のほぼ全部を覆っている請求項１に記載の人工肺。
【請求項３】
前記フィルタ部材と前記ハウジングとの間には、間隙が形成されている請求項１または２に記載の人工肺。
【請求項４】
前記血液流入部は、前記中空糸膜層の内周部側に開口する流入開口部を有し、
前記血液流出部は、前記中空糸膜層の外周部側に開口する流出開口部を有し、
血液が前記中空糸膜層の内周部側から外周部側へ通過するよう構成されている請求項１ないし３のいずれかに記載の人工肺。
【請求項５】
前記フィルタ部材は、親水性を有する請求項１ないし４のいずれかに記載の人工肺。
【請求項６】
前記フィルタ部材は、メッシュ状をなすものである請求項１ないし５のいずれかに記載の人工肺。
【請求項７】
前記フィルタ部材の目開きは、５０μｍ以下である請求項６に記載の人工肺。
【手続補正２】
【補正対象書類名】明細書
【補正対象項目名】０００７
【補正方法】変更
【補正の内容】
【０００７】
このような目的は、下記（１）〜（７）の本発明により達成される。
（１）  ハウジングと、
前記ハウジング内に収納され、ガス交換機能を有する中空糸膜が多数集積された中空糸膜層と、
前記中空糸膜の内腔を介して互いに連通するガス流入部およびガス流出部と、
血液が流通する血液流入部および血液流出部とを備えた人工肺であって、
前記中空糸膜層は、全体形状として円筒状をなしており、
前記中空糸膜層の外周部に、気泡を捕捉する機能を有するフィルタ部材を設けたことを特徴とする人工肺。
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
遊技者による操作に応じて、単位遊技の開始を指令する遊技開始指令信号を出力する遊技開始指令手段と、
複数の識別情報を変動可能な複数の変動表示部を有する変動表示手段と、
前記遊技開始指令信号を検出したことに基づいて、所定の役を当選役として決定する当選役決定手段と、
前記複数の変動表示部夫々に対応して設けられ、遊技者による操作に応じて、対応する変動表示部の停止を指令する停止指令信号を出力する停止指令手段と、
前記停止指令信号を検出した場合に、前記当選役に基づいて、対応する変動表示部を停止させる変動表示制御手段と、
前記変動表示制御手段により前記複数の変動表示部が停止された結果、入賞判定の基準となる入賞ライン上に表示された図柄の組合せに基づいて、入賞か否かを判定する入賞判定手段と、
前記入賞判定手段により入賞と判定された結果、入賞に応じた遊技価値を付与する遊技価値付与手段と、
正面側から見て前記変動表示手段より手前側に設けられ、前記変動表示手段の複数の変動表示部を透過して表示可能な領域を含む画像表示領域を有する画像表示手段と、
前記画像表示領域に遊技に関する情報を表示させる画像表示制御手段と、を備えたことを特徴とする遊技機。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
発泡クッション材からなるマットレス本体が、人体の頭部部分を受ける箇所と、背中・腰部部分を受ける箇所と、脚部部分を受ける箇所に分割されて、それぞれの接合部で三つ折り可能とされ、
マットレス本体の少なくとも背中・腰部部分を受ける箇所に形成された収容空間部内に、流動性物質を収納した流動性物質収納バッグが収容されることを特徴とするマットレス。
【請求項２】
流動性物質収納バッグは、一枚の支持板に取付けられて支持板とともに防水カバーで覆われて密封され、且つ防水カバー内がエア抜きされた状態で、マットレス本体の収容空間部内に収容されることを特徴とする請求項１に記載のマットレス。
【請求項３】
流動性物質収納バッグは、腰部部分を受ける箇所のバッグと、背中部分を受ける箇所のバッグとの少なくとも二つのバッグに分割して構成したことを特徴とする請求項１又は請求項２に記載のマットレス。
【手続補正２】
【補正対象書類名】明細書
【補正対象項目名】０００６
【補正方法】変更
【補正の内容】
【０００６】
上記目的を達成するため本発明は、マットレス本体を、人体の頭部部分を受ける箇所と、背中・腰部部分を受ける箇所と、脚部部分を受ける箇所に分割して、それぞれの接合部で三つ折り可能とし、マットレス本体の少なくとも背中・腰部部分を受ける箇所に収容空間部を形成し、この収容空間部内に、流動性物質を収納した流動性物質収納バッグを収容するようにした。
【手続補正３】
【補正対象書類名】明細書
【補正対象項目名】０００８
【補正方法】変更
【補正の内容】
【０００８】
また本発明では、流動性物質収納バッグを、一枚の支持板に取付けて支持板とともに防水カバーで覆って密封し、且つ防水カバー内のエア抜きした状態で、マットレス本体の収容空間部内に収容するようにした。
【手続補正４】
【補正対象書類名】明細書
【補正対象項目名】０００９
【補正方法】変更
【補正の内容】
【０００９】
このように、流動性物質収納バッグを一枚の支持板に取り付け、その周囲を防水カバーで覆うことにより一体化すれば、マットレス本体の収容空間部内で流動性物質収納バッグの姿勢が安定し、しかもバッグの外皮が破損しても防水カバーで流動性物質の漏洩を防止できる。この際、支持板としては、ある程度の柔軟性と剛性があり、また、耐久性のある材料が好ましく、例えば発泡ポリエチレン樹脂板等が好適である。また、防水カバーの材質は、水等を通さないシートであれば良く、特に塩化ビニル系のシートは加工性や透湿性に優れているため好ましい。
また、防水カバーの周縁部を封止して内部を密閉し、防水カバー内をエア抜きすることにより、防水カバーと流動性物質収納バッグや支持板とが一体的に密着するようになり、使用時や運搬時などに防水カバー内で流動性物質収納バッグが動き回り、該バッグが破損するような不具合を抑制できる。
【手続補正５】
【補正対象書類名】明細書
【補正対象項目名】００１３
【補正方法】変更
【補正の内容】
【００１３】
本発明に係るマットレスは、水等の流動性物質を収納する流動性物質収納バッグを備えたマットレスを容易に運搬できるようにされ、また運搬中に流動性物質収納バッグの姿勢等が安定し、破損等によって流動性物質が漏れ出すことがないようにされており、少なくとも蓐瘡のおきやすい箇所には流動性物質収納バッグを使用している。そして本実施例では、流動性物質として水を採用している。よって、以下の実施形態のマットレスについては、流動性物質を収納した流動性物質収納バッグを、ウォータバッグで構成した場合のマットレスについて説明する。
【手続補正書】
【提出日】平成19年7月19日(2007.7.19)
【手続補正１】
【補正対象書類名】明細書
【補正対象項目名】００１４
【補正方法】変更
【補正の内容】
【００１４】
【特許文献１】特開平７−１７１０６７号公報
【非特許文献１】“パテント研究会アイデア新商品”、［online］、パテント研究会、［平成１６年６月８日検索］、インターネット＜ＵＲＬ：http://www.patento-kenkyukai.com.jp/onehandcutholder.htm＞
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
照明手段として発光素子を備えた複数の光学アダプタと、
前記光学アダプタが先端部において着脱自在であり、前記発光素子に接続する電気ケーブルを内挿した挿入部と、
前記電気ケーブルを通じて前記発光素子に供給する電流を制御する制御部と、
を有し、前記制御部は定電流方式の駆動回路を備え、前記発光素子に定電流を供給することを特徴とする電子内視鏡システム。
【請求項２】
前記複数の光学アダプタは、それぞれ前記発光素子が複数個直列接続された発光素子列を１列以上内蔵しており、２列以上内蔵している場合は前記発光素子列は並列接続されていることを特徴とする請求項１に記載の電子内視鏡システム。
【請求項３】
前記複数の光学アダプタは、それぞれ前記発光素子が複数個直列接続された発光素子列を１列以上内蔵しており、前記発光素子列の列数が互いに等しいことを特徴とする請求項１に記載の電子内視鏡システム。
【請求項４】
前記複数の光学アダプタは、それぞれ前記発光素子が複数個直列接続された発光素子列であり、
前記アダプタは、内蔵している前記発光素子列の列数が互いに等しく、且つ前記発光素子列の発光素子の数がそれぞれ異なることを特徴とする請求項１に記載の電子内視鏡システム。
【請求項５】
前記発光素子は、発光ダイオードであることを特徴とする請求項１から請求項４のいずれかに記載の電子内視鏡システム。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
少なくともメーク落とし工程、洗浄工程、化粧水適用工程、マッサージ工程からなり、これらの工程をこの順序で適用する美容施術方法であって、洗浄工程が、ノズル本体に化粧水供給孔とエア供給孔を備え、且、ノズル孔内にニードルバルブを挿入してノズル口径を狭小に調整しつつ、所定圧力の空気を前記エア供給孔に連続的に送給して微細で均一なミストを噴霧し得る理美容機器を使用した洗浄液のミスト噴霧により、肌表面の洗浄と角質層への補水とを行い、マッサージ工程が、加温手段による肌表面への加温を行う工程を含み、該加温工程によって、肌内部から角質層への補水を行い得るようにしたことを特徴とする美容施術方法。
【請求項２】
狭小に調整したノズル口径が０.４mmで、所定圧力が０.０２〜０.０３MPaであることを特徴とする請求項１記載の美容施術方法。
【手続補正２】
【補正対象書類名】明細書
【補正対象項目名】発明の名称
【補正方法】変更
【補正の内容】
【発明の名称】美容施術方法
【手続補正３】
【補正対象書類名】明細書
【補正対象項目名】０００７
【補正方法】変更
【補正の内容】
【０００７】
本発明の美容施術方法は、少なくともメーク落とし工程、洗浄工程、化粧水適用工程、マッサージ工程からなり、これらの工程をこの順序で適用する美容施術方法であって、洗浄工程が、ノズル本体に化粧水供給孔とエア供給孔を備え、且、ノズル孔内にニードルバルブを挿入してノズル口径を狭小に調整しつつ、所定圧力の空気を前記エア供給孔に連続的に送給して微細で均一なミストを噴霧し得る理美容機器を使用した洗浄液のミスト噴霧により、肌表面の洗浄と角質層への補水とを行い、マッサージ工程が、加温手段による肌表面への加温を行う工程を含み、該加温工程によって、肌内部から角質層への補水を行い得るようにしたことを特徴とする。
【手続補正４】
【補正対象書類名】明細書
【補正対象項目名】０００８
【補正方法】変更
【補正の内容】
【０００８】
また、狭小に調整したノズル口径が０.４mmで、所定圧力が０.０２〜０.０３MPaであることを特徴とする。
【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】 情報処理機能を備えた携帯情報端末と、携帯情報端末を接続コードで接続し、無線通信により電話網に交換接続して情報通信を行う携帯電話とからなるものにおいて、一端を前記携帯情報端末の背面に固定し、他端を前記背面に取付けられたリングを通して折り返し、先端部を着脱式接着テープで接着するようにしたベルトを設け、該ベルトで携帯電話を携帯情報端末の背面に締めつけて保持するようにした携帯情報端末の携帯電話保持装置。
【請求項２】 前記ベルトを携帯情報端末の背面に横向きに取付け、携帯電話を縦向きに保持するようにした請求項１記載の携帯情報端末の携帯電話保持装置。
【請求項３】 前記ベルトを携帯情報端末の背面に縦向きに取付け、携帯電話を横向きに保持するようにした請求項１記載の携帯情報端末の携帯電話保持装置。
【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  文字メッセージを受信する受信手段と、
着信発生をユーザに対して報知するもので、その動作を変更することが可能な着信報知手段と、
所定の文字列に対応付けて前記着信報知手段の動作状態を示した報知形態情報を記憶する記憶手段と、
前記受信手段により受信された文字メッセージを構成する文字列から前記所定の文字列を検索する検索手段と、
この検索手段により前記所定の文字列が検出された場合、その文字列に対応付けて前記記憶手段に記憶された報知形態情報が示す動作状態で前記着信報知手段を動作させる報知制御手段とを具備したことを特徴とする通信端末装置。
【請求項２】  前記着信報知手段は着信メロディを鳴動させるメロディ鳴動手段であって、
かつ前記報知制御手段は、前記受信手段により受信された文字メッセージに着信メロディデータが添付されている場合には、前記検索手段により前記所定の文字列が検出された場合であっても、その文字列に対応付けて前記記憶手段に記憶された報知形態情報が示す動作状態に拘わらずに前記添付された着信メロディデータに基づく前記メロディ鳴動手段による着信メロディの鳴動を行わせることを特徴とする請求項１に記載の通信端末装置。
【手続補正２】
【補正対象書類名】明細書
【補正対象項目名】０００９
【補正方法】変更
【補正の内容】
【０００９】
【課題を解決するための手段】
以上の目的を達成するために第１の発明は、文字メッセージを受信する、例えばアンテナ、受信回路、モデムおよびＣＰＵのソフトウェア処理により実現されるメール送受信処理手段よりなる受信手段と、着信発生をユーザに対して報知するもので、その動作を変更することが可能な、例えばバックライトユニット、スピーカおよびバイブレータモータなどの着信報知手段と、所定の文字列に対応付けて前記着信報知手段の動作状態を示した報知形態情報を記憶する例えばＲＯＭなどの記憶手段と、前記受信手段により受信された文字メッセージを構成する文字列から前記所定の文字列を検索する、例えばＣＰＵのソフトウェア処理により実現される文字列検索手段などの検索手段と、この検索手段により前記所定の文字列が検出された場合、その文字列に対応付けて前記記憶手段に記憶された報知形態情報が示す動作状態で前記着信報知手段を動作させる、例えばＣＰＵのソフトウェア処理により実現されるメール着信報知制御手段などの報知制御手段とを備えた。
【手続補正３】
【補正対象書類名】明細書
【補正対象項目名】００１０
【補正方法】変更
【補正の内容】
【００１０】
このような手段を講じたことにより、文字メッセージが送信されてきた場合、この文字メッセージの受信手段による受信が行われる。そして受信された文字メッセージを構成する文字列からの所定の文字列の検索がなされ、該当する文字列が検出された場合には、その文字列に対応付けて記憶手段に記憶されている報知形態情報が示す動作状態で前記着信報知手段が動作される。従って、記憶手段に報知形態情報が対応付けられて記憶されている文字列が含まれた文字メッセージの受信が行われたときには、その文字列に応じて着信報知動作の形態が変更される。
【手続補正４】
【補正対象書類名】明細書
【補正対象項目名】００１１
【補正方法】変更
【補正の内容】
【００１１】
また第２の発明は、前記第１の発明における前記着信報知手段を着信メロディを鳴動させるメロディ鳴動手段とし、かつ前記報知制御手段を、前記受信手段により受信された文字メッセージに着信メロディデータが添付されている場合には、前記検索手段により前記所定の文字列が検出された場合であっても、その文字列に対応付けて前記記憶手段に記憶された報知形態情報が示す動作状態に拘わらずに前記添付された着信メロディデータに基づく前記メロディ鳴動手段による着信メロディの鳴動を行わせるものとした。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００９３
【補正方法】変更
【補正の内容】
【００９３】
【発明の効果】
第１の発明によれば、文字メッセージを受信するメール送受信処理手段よりなる受信手段と、着信発生をユーザに対して報知するもので、その動作を変更することが可能な着信報知手段と、所定の文字列に対応付けて前記着信報知手段の動作状態を示した報知形態情報を記憶するの記憶手段と、前記受信手段により受信された文字メッセージを構成する文字列から前記所定の文字列を検索する文字列検索手段などの検索手段と、この検索手段により前記所定の文字列が検出された場合、その文字列に対応付けて前記記憶手段に記憶された報知形態情報が示す動作状態で前記着信報知手段を動作させるメール着信報知制御手段などの報知制御手段とを備えたので、記憶手段に報知形態情報が対応付けられて記憶されている文字列が含まれた文字メッセージの受信が行われたときには、その文字列に応じて着信報知動作の形態が変更されることとなり、ユーザが文字メッセージを読まなくとも、その文字メッセージがどのような内容のものであるかの概略を受信者に認識させることが可能な通信端末装置となる。
【手続補正１２】
【補正対象書類名】明細書
【補正対象項目名】００９４
【補正方法】変更
【補正の内容】
【００９４】
また第２の発明によれば、前記第１の発明における前記着信報知手段を着信メロディを鳴動させるメロディ鳴動手段とし、かつ前記報知制御手段を、前記受信手段により受信された文字メッセージに着信メロディデータが添付されている場合には、前記検索手段により前記所定の文字列が検出された場合であっても、その文字列に対応付けて前記記憶手段に記憶された報知形態情報が示す動作状態に拘わらずに前記添付された着信メロディデータに基づく前記メロディ鳴動手段による着信メロディの鳴動を行わせるものとしたので、文字メッセージに添付されていた着信メロディデータによる着信メロディ鳴動が優先されることとなり、送信者の意思を尊重することが可能となる。
【手続補正１３】
【補正対象書類名】明細書
【補正対象項目名】００９５
【補正方法】削除
【補正の内容】
【手続補正１４】
【補正対象書類名】明細書
【補正対象項目名】００９６
【補正方法】削除
【補正の内容】
【手続補正１５】
【補正対象書類名】明細書
【補正対象項目名】００９７
【補正方法】削除
【補正の内容】
【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  通信システムにおいて、少なくとも２つの装置間の通信をオーソライズする方法であり、オーソリゼーションプロセスを実行するステップを含み、前記通信をオーソライズするか否かの決定が、少なくとも一つのプロセスの少なくとも一つの部分に依存して行われる方法であって、
前記方法が、識別プロセスを実行するステップを含み、前記決定が、少なくとも前記識別プロセスの一部に依存し、少なくとも前記オーソリゼーションプロセスの一部に依存せずに行われることを特徴とする方法。
【請求項２】  第２の装置と結合された第１の装置と、オーソリゼーション信号を受信するオーソリゼーション情報受信器と、少なくとも前記オーソリゼーション信号に依存してオーソリゼーションプロセスを実行し、少なくとも一つのプロセスに依存して、前記第１の装置と前記第２の装置と間の通信をオーソライズするか否かを決定するプロセッサとを含む通信システムであって、
前記通信システムが、識別信号を受信する識別情報受信器を含み、前記プロセッサが、少なくとも前記識別信号に依存して識別プロセスを実行し、少なくとも前記識別プロセスの一部に依存し、少なくとも前記オーソリゼーションプロセスの一部には依存せずに、前記決定を行うことを特徴とする通信システム。
【請求項３】  前記第１の装置と第２の装置との間で信号を交換するために、前記第１の装置が、第１の送受信器を含み、前記第２の装置が、第２の送受信器を含むことを特徴とする請求項２に記載の通信システム。
【請求項４】  前記第１の装置と結合されたネットワークを含むことを特徴とする請求項３に記載の通信システム。
【請求項５】  前記ネットワークが、前記プロセッサと前記識別情報受信器とを含むことを特徴とする請求項４に記載の通信システム。
【請求項６】  前記第１の装置が、前記プロセッサと前記識別情報受信器とを含むことを特徴とする請求項４に記載の通信システム。
【請求項７】  前記ネットワークが、前記プロセッサを含み、前記第１の装置が、前記識別情報受信器を含むことを特徴とする請求項４に記載の通信システム。
【請求項８】  前記ネットワークが、前記識別情報受信器を含み、前記第１の装置が、前記プロセッサを含むことを特徴とする請求項４に記載の通信システム。
【請求項９】  少なくともオーソリゼーション情報受信器を介して受信されるオーソリゼーション信号に依存して、オーソリゼーションプロセスを実行し、少なくとも一つのプロセスに依存して、第１の装置と第２の装置との間の通信をオーソライズするか否かの決定を行うプロセッサを備えた、第２の装置と結合された第１の装置であって、
前記プロセッサが、少なくとも識別情報受信器を介して受信される識別信号に依存して、識別プロセスを実行し、少なくとも前記識別プロセスの一部に依存し、少なくとも前記オーソリゼーションプロセスの一部に依存せずに、前記決定を行うように構成されることを特徴とする第１の装置。
【請求項１０】  前記第１の装置が、前記第２の装置を含むことを特徴とする請求項９に記載の第１の装置。
【手続補正書】
【提出日】平成18年12月7日(2006.12.7)
【手続補正１】
【補正対象書類名】明細書
【補正対象項目名】０００７
【補正方法】変更
【補正の内容】
【０００７】
また、本発明の受光素子は、コンタクト層上に成長されたキャップ層と同じ材料からなる保護層を更に備え、高濃度不純物領域がコンタクト層から保護層に連続するように形成されていることを特徴としてもよい。コンタクト層と反射防止膜との間にコンタクト層よりもエネルギーギャップの大きい保護層が挿入されているため、表面再結合電流を抑制でき、暗電流を小さくすることができる。また、本発明の受光素子は、キャップ層の厚さが０．１μｍ以下であることを特徴としてもよい。キャップ層の厚さが０．１μｍ以下であることにより、短波長側の受光感度をより高くすることができる。
【手続補正２】
【補正対象書類名】明細書
【補正対象項目名】００２２
【補正方法】変更
【補正の内容】
【００２２】
第２実施形態に係る受光素子の作製方法には、第１実施形態の受光素子の作製方法に、コンタクト層５上に保護層１０を成長する工程と、高濃度不純物領域７形成後に入射光の受光領域に対応する保護層１０の領域を除去する工程とが加えられる。なお、第１実施形態の受光素子作製方法においては、受光領域を形成するための選択エッチャントによるコンタクト層５を除去するプロセスで、受光領域以外に形成されているフォトレジスト等のマスクがエッチャントに溶解し、受光領域が大きくなってしまう可能性がある。しかし、第２実施形態の受光素子の構造において、コンタクト層５上に保護層１０が設けられているため、選択エッチャントに溶解しないＩｎＰからなる保護層１０をマスクとして選択エッチングを行うことにより、受光領域の拡大を防ぐことができ、受光領域の面積が正確に制御された受光素子を得ることができる。